(57)【要約】  【課題】  この発明は、足場部材の出し入れが容易で、足場部材の散乱を防止するドラム式ケレン装置を提供する。  【解決手段】  内部がケレン室となる回転ドラム４を、軸心を中心に回転可能で且つ前記軸心の上下方向の角度が可変となるように傾倒フレーム３で支持し、前記回転ドラム４の軸方向の少なくとも一方の端部に開閉可能な扉部材５が設けられ、前記回転ドラム４の軸心が前記扉部材５の端部方向が低くなるように、前記回転ドラム４の上下方向の角度を変更して前記回転ドラム４を支持し、前記回転ドラム４内の被ケレン部材１０ａを排出する。【選択図】  図１６
2020131400.tif 000002
【特許請求の範囲】
【請求項１】
内部がケレン室となる回転ドラムを、軸心を中心に回転可能で且つ前記軸心の上下方向の角度が可変となるように支持部材で支持し、前記回転ドラムの軸方向の少なくとも一方の端部に開放可能な開口が設けられ、前記開口から前記回転ドラム内に被ケレン部材が出し入れされることを特徴とするドラム式ケレン装置。
【請求項２】
前記開口に開閉可能な扉部材が設けられ、前記扉部材を開放した状態で、前記開口から前記回転ドラム内に被ケレン部材が出し入れされることを特徴とする請求項１に記載のドラム式ケレン装置。
【請求項３】
前記支持部材は、前記回転ドラムを回転可能に支持するフレームと、このフレームを前記回転ドラムの軸方向に対して傾倒自在に支持するベースとを有し、  前記フレームを前記ベースに対して傾倒させる傾倒手段が設けられ、
前記傾倒手段は、前記回転ドラムの前記開口の側が前記回転ドラムの軸心の水平方向より低くなる位置と前記開口の側が前記回転ドラムの軸心の水平方向より高くなる位置との間で、前記フレームを前記ベースに対して移動させることを特徴とする請求項１又は２に記載のドラム式ケレン装置。
【請求項４】
前記回転ドラムの他方の端部が閉塞部材で閉塞され、前記閉塞部材に前記回転ドラム内へ注水する導水管が設けられ、
前記扉部材は、前記回転ドラムの閉塞時、前記回転ドラムを水密状態に保ち、  前記導水管から注水された水により、前記回転ドラム内に水を貯えることができる請求項１から３のいずれか１項に記載のドラム式ケレン装置。
【請求項５】
前記回転ドラムの外周部に、ケレン部材を収容するケレン部材収容室が設けられ、前記回転ドラムと前記ケレン部材収容室との間にケレン部材出入口が設けられ、前記回転ドラムは正逆転可能であり、前記回転ドラムの回転方向を変更することにより、前記ケレン部材を前記ケレン部材収容室に対して出し入れすることを特徴とする請求項１から４のいずれか１項に記載のドラム式ケレン装置。
【請求項６】
前記回転ドラムは、内周ドラムと前記内周ドラムと同心状に設けられた外周ドラムを備え、前記内周ドラムと前記外周ドラムとの間に前記ケレン部材収容室が設けられ、前記ケレン部材収容室内に、螺旋状の仕切り壁で区切られたケレン部材収容通路が設けられていることを特徴とする請求項５に記載のドラム式ケレン装置。
【請求項７】
前記内周ドラムと前記外周ドラムとの間に水が貯えられることを特徴とする請求項６に記載のドラム式ケレン装置。
【発明の詳細な説明】
【技術分野】
【０００１】
この発明は、金属製の足場部材等に付着した汚れを除去して清掃するドラム式ケレン装置に関するものである。
【背景技術】
【０００２】
仮設足場等に用いられる鋼管類、筋交い、鋼管クランプ等の足場部材は、現場での使用によって、その表面にコンクリート又は塗料等が付着する。このため、足場部材は、現場からの回収後に、再使用に備えるために、付着物を除去する作業が必要となる。
【０００３】
足場部材の付着物を除去するために用いられているケレン装置としては、足場部材（被ケレン部材）を入口側から出口側に送る搬送ラインの途中に、足場部材を打撃するケレン機械を配置し、ケレン機械に対して足場部材を通過させることにより、足場部材の付着物を除去するような構造となっている。この構造では、足場部材を移動させながらケレン作業を行うため、極めて広い設置スペースが必要になるという問題がある。
【０００４】
そこで、定位置に配置した回転ドラムに対して足場部材（被ケレン部材）を入れバレル研磨方式でケレン作業を行うドラム式ケレン装置が提案されている（特許文献１参照）。
【０００５】
図２８に従い特許文献１に開示されているドラム式ケレン装置について説明する。図２８は、特許文献１に開示されたドラム式ケレン装置を示し、回転ドラムの軸心が水平状態の縦断面正面図である。
【０００６】
図２８に示すように、ドラム式ケレン装置１００は、内部がケレン室となる回転ドラム１０４を、軸心を中心に回転可能でこの軸心が上下に角度可変となるように支持部材１１０により支持して配置している。そして、前記回転ドラム１０４の端部にケレン部材の収納室１０７を設け、この収納室１０７に収納したケレン部材を、回転ドラム４のケレン室内に対して、回転ドラム４の回転と軸心の角度変化の併用によって出し入れするようにしている。
【０００７】
上記回転ドラム１０４が、周壁の一部に足場部材出し入れ口１０６ａを備え、この回転ドラム１０４の外側に、回転ドラム１０４に対して固定した状態で回転ドラム１０４の軸心を中心に回転ドラム１０４と一体に回転可能となり、かつ、回転ドラム１０４への固定を解いた状態で回転ドラム１０４に対して足場部材出し入れ口１０６ａを閉鎖する位置と開放する位置の間を回転ドラム１０４の軸心を中心に回転ドラム１０４とは個別に回動可能となる蓋部材１０６が設けられている。回転ドラム１０４の下方には、収容容器１４５が配置されている。
【０００８】
そして、足場部材を回転ドラム１０４から排出する際には、足場部材出し入れ口１０６ａを開放する位置に蓋部材１０６が移動した後、足場部材出し入れ口１０６ａを下方向になるように、回転ドラム１０４を回転させ、足場部材出し入れ口１０６ａから足場部材を落下させて、収容容器１４５内に足場部材を収容させる。
【先行技術文献】
【特許文献】
【０００９】
【特許文献１】特開２００９−４６８５２号公報
【発明の概要】
【発明が解決しようとする課題】
【００１０】
しかしながら、上記した装置では、足場部材の排出時、回転ドラム１０４の径方向に足場部材を排出することになり、足場部材が収容容器１４５内に上手く収容できずに、足場部材が散乱する場合があった。
【００１１】
さらに、足場部材を回転ドラム１０４内に収容する場合には、足場部材出し入れ口１０６ａが上方に位置するように、回転ドラム１０４を回転させ、回転ドラム１０４の上方から足場部材を回転ドラム１０４内に入れることになり、足場部材を回転ドラム１０４の上方まで上げる必要があるなどの難点がある。
【００１２】
また、回転ドラム１０４の下方に収容容器１４５を収容するスペースが必要となり、回転ドラム１０４を支持する支持部材１１０の高さも高くなるなどの問題があった。
【００１３】
そこで、この発明は、足場部材の出し入れが容易で、足場部材の散乱を防止するドラム式ケレン装置を提供することを課題とする。
【課題を解決するための手段】
【００１４】
この発明に係るドラム式ケレン装置は、内部がケレン室となる回転ドラムを、軸心を中心に回転可能で且つ前記軸心の上下方向の角度が可変となるように支持部材で支持し、前記回転ドラムの軸方向の少なくとも一方の端部に開放可能な開口が設けられ、前記開口から前記回転ドラム内に被ケレン部材が出し入れされることを特徴とする。
【００１５】
回転ドラムの一方の端部に開放可能な開口が設けられ、前記開口から、前記回転ドラム内に被ケレン部材を出し入れすることができる。このため、回転ドラムの軸方向に被ケレン部材を出し入れすることができるので、被ケレン部材の出し入れが容易となる。また、被ケレン部材が回転ドラムの径方向に散乱することがなく、回転ドラムの外部へ取り出すことができる。
【００１６】
また、前記開口に開閉可能な扉部材が設けられ、前記扉部材を開放した状態で、前記開口から前記回転ドラム内に被ケレン部材が出し入れされるように構成することができる。
【００１７】
また、前記支持部材は、前記回転ドラムを回転可能に支持するフレームと、このフレームを前記回転ドラムの軸方向に対して傾倒自在に支持するベースとを有し、前記フレームを前記ベースに対して傾倒させる傾倒手段が設けられ、  前記傾倒手段は、前記回転ドラムの前記開口の側が前記回転ドラムの軸心の水平方向より低くなる位置と前記開口の側が前記回転ドラムの軸心の水平方向より高くなる位置との間で、前記フレームを前記ベースに対して移動させるように構成することができる。
【００１８】
前記回転ドラムの前記扉部材の端部方向を低くして被ケレン部材を排出する位置に前記回転ドラムを支持することで、被ケレン部材を扉部材の内面に押し当てて被ケレン部材の姿勢を整えることができる。この状態で、扉部材を開放することで、整えられた姿勢で被ケレン部材を回転ドラム外部へ取り出すことができ、その後の被ケレン部材の回収作業も円滑に行える。
【００１９】
前記回転ドラムの他方の端部が閉塞部材で閉塞され、前記閉塞部材に前記回転ドラム内へ注水する導水管が設けられ、前記扉部材は、前記回転ドラムの閉塞時、前記回転ドラムを水密状態に保ち、前記導水管から注水された水により、前記回転ドラム内に水を貯えることができるように構成できる。
【００２０】
回転ドラム内部に水を貯めることにより、被ケレン部材への付水により付着物を効率的に除去することができる。また、防音効果も得ることができる。
【００２１】
また、前記回転ドラムの外周部に、ケレン部材を収容するケレン部材収容室が設けられ、前記回転ドラムと前記ケレン部材収容室との間にケレン部材出入口が設けられ、前記回転ドラムは正逆転可能であり、前記回転ドラムの回転方向を変更することにより、前記ケレン部材を前記ケレン部材収容室に対して出し入れするように構成することができる。
【００２２】
さらに、前記回転ドラムは、内周ドラムと前記内周ドラムと同心状に設けられた外周ドラムを備え、前記内周ドラムと前記外周ドラムとの間に前記ケレン部材収容室が設けられ、前記ケレン部材収容室内に、螺旋状の仕切り壁で区切られたケレン部材収容通路を設けるとよい。
【００２３】
前記内周ドラムと前記外周ドラムとの間に前記ケレン部材収容室が設けられ、前記ケレン部材収容室内に、螺旋状の仕切り壁で区切られたケレン部材収容通路を設けることにより、前記ケレン部材の収容量を増加させることができる。
【００２４】
また、前記内周ドラムと前記外周ドラムとの間に水を貯えるように構成するとよい。
【００２５】
前記内周ドラムと前記外周ドラムとの間に水を貯えることで、ケレン動作時に防音効果が得られる。
【発明の効果】
【００２６】
この発明に係るドラム式ケレン装置によれば、回転ドラムの軸方向に被ケレン部材を出し入れすることができるので、被ケレン部材の出し入れが容易となる。また、被ケレン部材が回転ドラムの径方向に散乱することがなく、回転ドラムの外部へ取り出すことができる。
【図面の簡単な説明】
【００２７】
【図１】この発明の第１実施形態にかかるドラム式ケレン装置を示す縦断正面図である。
【図２】この発明の第１実施形態にかかるドラム式ケレン装置を示す上面図である。
【図３】この発明の第１実施形態にかかるドラム式ケレン装置を示す右側面図である。
【図４】この発明の第１実施形態にかかるドラム式ケレン装置の後方端部を拡大した縦断正面図である。
【図５】この発明の第１実施形態にかかるドラム式ケレン装置の後方端部を拡大して一部を断面にした上面図である。
【図６】この発明の第１実施形態にかかるドラム式ケレン装置の前方端部を拡大した縦断正面図である。
【図７】この発明の第１実施形態にかかるドラム式ケレン装置の前方端部を拡大して一部を断面にした上面図である。
【図８】この発明の第１実施形態にかかるドラム式ケレン装置を示し、回転ドラムの後方を上昇させた状態の縦断正面図である。
【図９】この発明の第１実施形態にかかるドラム式ケレン装置のケレン部材収容室内にケレン部材を収容した状態を示す模式図である。
【図１０】この発明の第１実施形態にかかるドラム式ケレン装置のケレン部材収容室内からケレン部材を排出する状態を示す模式図である。
【図１１】この発明の第１実施形態にかかるドラム式ケレン装置のケレン部材収容室内からケレン部材を収容する状態を示す模式図である。
【図１２】この発明の第１実施形態にかかるドラム式ケレン装置に被ケレン部材を収容して、ケレン動作を行う状態を示す模式図である。
【図１３】この発明の第１実施形態にかかるドラム式ケレン装置に被ケレン部材を収納させる状態を示す説明図である。
【図１４】この発明の第１実施形態にかかるドラム式ケレン装置に被ケレン部材を投入した状態を示す説明図である。
【図１５】この発明の第１実施形態にかかるドラム式ケレン装置に被ケレン部材を投入後、パレットを取り出す状態を示す説明図である。
【図１６】この発明の第１実施形態にかかるドラム式ケレン装置から被ケレン部材を排出させる状態を示す説明図である。
【図１７】この発明の第１実施形態にかかるドラム式ケレン装置に小型の被ケレン部材を収納させる状態を示す説明図である。
【図１８】この発明の第１実施形態にかかるドラム式ケレン装置から小型の被ケレン部材を排出させる状態を示す説明図である。
【図１９】この発明の第１実施形態にかかるドラム式ケレン装置に用いられる小型の被ケレン部材を収容する収容容器を示す正面図である。
【図２０】この発明の第１実施形態にかかるドラム式ケレン装置に用いられる小型の被ケレン部材を収容する収容容器を示す断面図である。
【図２１】この発明の第１実施形態にかかるドラム式ケレン装置の回転ドラム内に収容容器を挿入した状態を示す説明図である。
【図２２】この発明の第２実施形態にかかるドラム式ケレン装置を示す縦断正面図である。
【図２３】この発明の第２実施形態にかかるドラム式ケレン装置のケレン部材収容室内にケレン部材を収容した状態を示す模式図である。
【図２４】この発明の第３実施形態にかかるドラム式ケレン装置を示す縦断正面図である。
【図２５】この発明の第３実施形態にかかるドラム式ケレン装置に用いられる回転ドラムを示す説明図である。
【図２６】この発明の第３実施形態にかかるドラム式ケレン装置に用いられる回転ドラムの縦断正面図である。
【図２７】この発明の第３実施形態にかかるドラム式ケレン装置に用いられる回転ドラムのケレン部材収容室にケレン部材を収容する状態を示す説明図である。
【図２８】従来のドラム式ケレン装置を示し、回転ドラムの軸心が水平状態の縦断面正面図である。
【発明を実施するための形態】
【００２８】
以下、この発明に係るドラム式ケレン装置１について、図面を参照しながら説明する。
【００２９】
図１〜図１２は、この発明に係るドラム式ケレン装置１の第１実施形態を示している。図１〜図７を参照して、この発明の第１の実施形態に係るドラム式ケレン装置１の全体構成について説明する。
【００３０】
この発明の第１の実施形態に係るドラム式ケレン装置１は、図１〜図３に示すように、ベース台２の上に設けた傾倒フレーム３と、この傾倒フレーム３で回転可能に支持された回転ドラム４と、この回転ドラム４の前方の端部に開閉可能に設けられた扉部材５と、回転ドラム４の後方の端部に設けられた閉塞部材６と、を備える。図１〜図２の矢印で示すように、この実施形態においては、回転ドラム４に扉部材５を設ける方向を前、その反対方向を後、設置面Ｇから上に向かう方向を上、下に向かう方向を下としている。そして、図２の矢印に示すように、扉部材に向かって右方向を右、左方向を左としている。
【００３１】
ベース台２は、矩形の枠体で形成され、ベース台２の前後端部近傍に、回転ドラム４の軸心と直交する方向に固定された足部材２１、２１が設けられている。この足部材２１により、設置面Ｇにドラム式ケレン装置１は設置される。
【００３２】
傾倒フレーム３は、矩形の枠体で形成され、ベース台２に傾倒自在に取り付けられる。この実施形態では、ベース台２と傾倒フレーム３により、回転ドラム４を支持する支持部材が構成される。
【００３３】
内部にケレン室を有する回転ドラム４は、扉部材５の後側の近傍で傾倒フレーム３に取り付けられた２個のドラム支持ローラ７により前方の端部側が支持され、後方の端部側は傾倒フレーム３に設けられた支持部８に支持される。
【００３４】
回転ドラム４の扉部材５の後側の近傍には、回転ドラム４の外周に沿って設けられた案内部４７が設けられ、この案内部４７にドラム支持ローラ７が嵌まり込み、回転ドラム４の前方の端部が回転自在に支持されている。
【００３５】
回転ドラム４の後方の端部に設けられた閉塞部材６に、軸心と同軸上に回転軸６０が設けられている。この回転軸６０が支持部８の上端に設けられたピローブロック８１に回転自在に支持されている。この閉塞部材６により、回転ドラム４の後方の開口部４ｄが閉塞される。
【００３６】
回転ドラム４は、ドラム支持ローラ７と支持部８のピローブロック８１により、傾倒フレーム３に対して回転自在に支持される。
【００３７】
傾倒フレーム３は、回転ドラム４の中央より扉部材５側に傾斜支点となるヒンジ部３１が設けられている。そして、ベース台２には、ヒンジ部３１と係合するヒンジ台２２が設けられ、ヒンジ部３１とヒンジ台２２とが軸３２により回転自在に取り付けられている。
【００３８】
傾倒フレーム３は、ヒンジ部３１を中心として、ベース台２に対して上下に傾倒可能に取り付けられる。この傾倒フレーム３に回転自在に支持された回転ドラム４は、ベース台２に対して傾倒フレーム３が上下に傾倒することで、ベース台２に対して上下に傾倒する。このように、回転ドラム４は、軸心を中心に回転可能で且つ前記軸心の上下方向の角度が可変となるように、ベース台２に傾倒フレーム３を介して支持される。傾倒フレーム３をベース台２に対して傾倒させる傾倒機構については後述する。
【００３９】
回転ドラム４の開口部４ｃを閉塞する扉部材５は、回転ドラム４の軸心に対して直交するように蓋支持部材９に取り付けられる。具体的には、図３に示すように、傾倒フレーム３から直立するように設けられた蓋材支持柱９１に、蓋支持軸９３が回転自在に取り付けられる。そして、蓋支持軸９３に直交するようにコ字型の支持腕９４が設けられている。この支持腕９４に蓋支持部９５が設けられている。
【００４０】
図６に示すように、扉部材５は、回転ドラム４の開口部４ｃを閉塞した状態で、回転ドラム４の軸心と同軸上になる支持軸５１が設けられている。この支持軸５１が蓋支持部９５に転がり軸受９５ａを介して回転自在に支持されている。すなわち、扉部材５は、蓋支持部材９の蓋支持部９５に回転自在に支持されている。回転ドラム４の開口部４ｃを扉部材５で閉塞し、回転ドラム４が回転すると、扉部材５は、支持軸５１を中心として回転し、回転ドラム４と一体に回転することになる。
【００４１】
図３に示すように、支持腕９４の先端には、扉部材５を閉塞する際のロック腕９６が取り付けられている。傾倒フレーム３に直立して設けられた固定軸９２には、ロックハンドル９７が旋回自在に取り付けられている。支持腕９４を回転ドラム４方向に回転させ、扉部材５により、回転ドラム４を閉塞する。扉部材５を閉塞させると、ロック腕９６の先端係合部９６ａがロックハンドル９７と係合する位置に到達する。
【００４２】
この状態でロックハンドル９７を旋回させ、ロック腕９６の先端係合部９６ａとロックハンドル９７を係合させて、回転ドラム４の開口部４ｃを扉部材５で閉塞する。ロック腕９６の先端係合部９６ａとロックハンドル９７を係合させることで、回転ドラム４の開口部４ｃを扉部材５で閉塞した状態が維持される。
【００４３】
扉部材５の閉塞時は、回転ドラム４内は水密状態となり、回転ドラム４内部に水を貯めることができる。回転ドラム４内に水を溜めて、被ケレン部材へ付水させることにより、付着物を効率的に除去することができる。また、回転ドラム４内に水を溜めることにより、防音効果も得ることができる。
【００４４】
鋼管等の足場部材を被ケレン部材として、回転ドラム４内に収容する場合は、ロックハンドル９７を左方向に旋回させ、ロック腕９６の先端係合部９６ａとロックハンドル９７の係合を解除する。そして、図７の２点鎖線で示すように、支持腕９４を右方向に旋回させて、扉部材５を開き、回転ドラム４の開口部４ｃを開放させる。
【００４５】
この状態で回転ドラム４内に被ケレン部材を収容させ、図７に示すように、支持腕９４を左方向に旋回させる。そして、ロックハンドル９７を右方向に旋回させ、ロック腕９６の先端係合部９６ａとロックハンドル９７を係合させて、回転ドラム４の開口部４ｃを扉部材５で閉塞する。回転ドラム４を回転させ、回転ドラム４の内部に収納した被ケレン部材をケレン部材となる鋼球Ｋを用いてケレンし、被ケレン部材の付着物が除去される。
【００４６】
回転ドラム４から被ケレン部材を排出する場合は、支持腕９４とともに、扉部材５を回転させて、回転ドラム４の前方の開口部を開放し、被ケレン部材の排出を行う。
【００４７】
図２及び図７に示すように、支持腕９４と傾倒フレーム３との間に引張バネ９４ｂが設けられ、この圧縮バネ９４ｂにより、扉部材５が開放状態の時、開放方向に付勢され、扉部材５を開放した状態を保つように構成されている。この引張バネ９４ｂは、被ケレン部材の出し入れ時に、扉部材５を開放状態に保つ、このことにより、被ケレン部材の出し入れを容易に行うことができる。
【００４８】
図８に示すように、被ケレン部材の排出は、回転ドラム４の後方を上に持ち上げ、扉部材５側が低くなるように、回転ドラム４が斜め状態になるように維持する。このように回転ドラム４の開口部が低くなるようにして斜めの状態に保つことで、回転ドラム４内から被ケレン部材を容易に取り出すことができる。
【００４９】
そして、被ケレン部材の排出時には、扉部材５を閉めた状態で、回転ドラム４を扉部材５側が低くなるように傾倒させる。この状態で、回転ドラム４を所定時間一定方向に回転又は正転と逆転を繰り返し、回転ドラム４を径方向に揺動させる。このように、回転ドラム４を駆動させ、被ケレン部材を扉部材５の内面に押し当てて被ケレン部材の姿勢を整える。
【００５０】
その後、被ケレン部材の姿勢を整えた上で、扉部材５を開いて、被ケレン部材を排出する。これにより、より整えられた姿勢で被ケレン部材を回転ドラム４の外部へ取り出すことができ、その後の被ケレン部材の回収作業も円滑に行える。
【００５１】
また、この実施形態では、回転ドラム４の開口部に対向するように、半円筒状のシュート１０が傾倒フレーム３に取り付けられている。回転ドラム４の開口部から取り出される被ケレン部材は、シュート１０に案内され、ばらけることなく回転ドラム４の外部に取り出すことができる。
【００５２】
また、設置面Ｇには、ケレン部材受け皿１１が設けられ、シュート１０から排出されるケレン部材としての鋼球Ｋを収容するように構成している。被ケレン部材の排出時に回転ドラム４の外部へ出た鋼球Ｋは、ケレン部材受け皿１１で回収することにより再利用できる。
【００５３】
ケレン部材受け皿１１には、水を排水する排水穴(図示しない)が設けられ、鋼球Ｋとともに排水された水を貯留槽１３に送るように構成している。
【００５４】
貯留槽１３は、回転ドラム４に水を導入するための水中ポンプ１２が配置されたピット１４まで、水が流れるように、水勾配が設けられている。また、貯留槽１３内には、フィルタなどが設けられ、被ケレン部材から除去された付着物を取り除き、水の再利用ができるようにしている。排水から付着物を取り除く方法は、フィルタを用いる方法または沈殿法若しくはこれらを併用する方法などを適用すればよい。
【００５５】
次に、回転ドラム４の回転機構につき説明する。図２、図４及び図５に示すように、閉塞部材６に設けられた回転軸６０の先端にスプロケット６１が取り付けられている。傾倒フレーム３にドラム回転モータ６４が取り付けられている。ドラム回転モータ６４にモータスプロケット６３が取り付けられ、スプロケット６１とモータスプロケット６３との間にチェーン６５が掛け渡され、ドラム回転モータ６４の駆動により回転ドラム４が回転する。
【００５６】
ドラム回転モータ６４は、正逆転可能なモータであり、この実施形態では、ケレン動作時は正転駆動し、ケレン部材としての鋼球Ｋを収納する動作時には逆転駆動する。
【００５７】
図１〜図３及び図９に示すように、回転ドラム４の周囲に、等間隔でケレン部材となる鋼球を収容する４つのケレン部材収容室４０が軸長方向に延びて設けられている。ケレン部材収容室４０は、回転ドラム４の内周に軸長方向に延びるケレン部材出入口４１が設けられ、後述するように、回転ドラム４を正転させて、このケレン部材出入口４１からケレン部材となる鋼球Ｋが回転ドラム４内に排出される。
【００５８】
また、回転ドラム４を逆転させて、ケレン部材出入口４１から収容室４０内にケレン部材(鋼球Ｋ)を収容する。
【００５９】
ケレン部材収容室４０の収容部４０ａにつき、図９〜図１１を参照して説明する。この実施形態では、ケレン部材収容室４０の収容部４０ａは、回転ドラム４の外周面４ａと外周面側に一定の距離を隔てて設けられた外壁４２との間の空間により形成される。
【００６０】
ケレン部材収容室４０の収容部４０ａは、回転ドラム４の外周面４ａと外壁４２との中間部分に区切り壁４３が設けられている。収容部４０ａは、回転ドラム４の内周に突出した収容突部４４が設けられている。
【００６１】
ケレン部材出入口４１から収容部４０ａ内に入った鋼球Ｋは、区切り壁４３に沿って、回転ドラム４の外周面４ａから収容突部４４に案内され、収容突部４４内に鋼球Ｋが収容される。
【００６２】
回転ドラム４は、ドラム回転モータ６４により、正転又は逆転する。図９に示す正転方向に回転ドラム４が回転する場合は、収容部４０ａに収容された鋼球Ｋを回転ドラム４内へ排出する動作と、ケレン動作を行う場合である。図９に示す逆転方向に回転ドラム４が回転する場合は、回転ドラム４内に存在する鋼球Ｋを収容部４０ａへ収容する動作を行う場合である。
【００６３】
収容部４０ａに収容された鋼球Ｋを回転ドラム４内へ排出する動作につき、図１０及び図１１を参照して説明する。
【００６４】
図１０に示すように、収容部４０ａ内に鋼球Ｋが収容されている状態で、回転ドラム４を正方向へ回転させる。収容部４０ａ内に存在する鋼球は、ケレン部材出入口４１から回転ドラム４内に排出される。そして、回転ドラム４の回転に伴って、区切り壁４３に沿ってケレン部材出入口４１まで鋼球Ｋが送られ、順次ケレン部材出入口４１から回転ドラム４内に排出される。
【００６５】
その後、図１１に示すように、鋼球Ｋは回転ドラム４に排出されて、収容部４０ａ内の鋼球Ｋが徐々に排出される。
【００６６】
この一連の動作を繰り返すことにより、回転ドラム４内に鋼球Ｋが排出され、ケレン動作が行われる。
【００６７】
回転ドラム４内に存在する鋼球Ｋを収容部４０ａへ収容する動作は、図１１から図１０の順で、回転ドラム４を逆転方向に回転させて行う。
【００６８】
図１１に示すように、回転ドラム４内に鋼球Ｋが存在している状態で、回転ドラム４を逆転方向へ回転させる。回転ドラム４に存在する鋼球は、ケレン部材出入口４１から収容部４０ａ内に入る。そして、図１１に示すように、回転ドラム４の回転に伴って、ケレン部材出入口４１から入った鋼球Ｋは、区切り壁４３に沿って収容部４０ａの端部まで送られる。
【００６９】
その後、図１０に示すように、鋼球Ｋは回転ドラム４の外周面４ａと区切り壁４３の間に貯まり、そして、図１０に示すように、収容突部４４内に鋼球Ｋが貯えられて行く。
【００７０】
この一連の動作を繰り返すことにより、回転ドラム４内の鋼球Ｋが収容部４０ａに収容される。
【００７１】
図１２に示すように、収容部４０ａに鋼球Ｋが収容された後、扉部材５を開け、回転ドラム４内の被ケレン部材１０ａが取り出される。
【００７２】
次に、回転ドラム４の傾倒機構につき、図１、図４及び図５を参照して説明する。図１、図４及び図５に示すように、傾倒フレーム３の端部にワイヤ取付部３５が設けられている。そして、ベース台２の後端部側に傾倒シリンダ２５が取り付けられる。傾倒シリンダ２５は、本体部２５ａとこの本体部２５ａから出入するシリンダ部２５ｂを有する。そして、傾倒シリンダ２５のシリンダ部２５ｂの上端には、一対のプーリー２６が取り付けられる。このプーリー２６と傾倒フレーム３のワイヤ取付部３５は対向するように配置されている。
【００７３】
ベース台２の後端部には、ワイヤ取付部２８が設けられている。傾倒フレームのワイヤ取付部３５にワイヤ３８の一端を取り付け、ワイヤ３８をプーリー２６に掛け渡す。そして、ワイヤ３８の他端をワイヤ取付部２８に取り付ける。
【００７４】
傾倒シリンダ２５のシリンダ部２５ｂは、上下方向に移動可能である。回転ドラム４の後端を上げ、扉部材５の方向が低くなるように、回転ドラム４の軸心の角度を変更する場合には、傾倒シリンダ２５のシリンダ部２５ｂを上昇させる。傾倒シリンダ２５のシリンダ部２５ｂが上昇すると、傾倒フレーム３はワイヤ３８により引き上げられ、ヒンジ部３１を中心にして傾倒し、回転ドラム４の後部が上がり、前方が下がって斜め状態となる（図８参照）。
【００７５】
傾倒シリンダ２５のシリンダ部２５ｂが下降すると、シリンダ部２５ｂの下降に伴って回転ドラム４の後方が下がり、回転ドラム４がヒンジ部３１を中心として傾倒し、前方が上がる。
【００７６】
傾倒フレーム３には、ストッパー３９が設けられ、ストッパー３９とベース台２とが当接し、回転ドラム４が停止する。
【００７７】
この実施形態では、ストッパー３９とベース台２とが当接した状態では、回転ドラム４は、後側へ２度程度傾いた状態に保持されている。これは、回転ドラム４内に被ケレン部材を収容する際に、開口部４ｃから後へ被ケレン部材を容易に送り込めるようにするためである。
【００７８】
また、ケレン時には、回転ドラム４を水平状態で回転させるために、傾倒シリンダ２５を所定の高さ上昇させ、回転ドラム４を水平状態に維持している。
【００７９】
また、回転ドラム４内に存在する鋼球Ｋを収容部４０ａに収容する場合には、回転ドラム４を上下に傾倒させながら、回転ドラム４を回転させ、鋼球Ｋが収容部４０ａ内に入り込みやすくするように、動作させてもよい。
【００８０】
図４に示すように、この実施形態は、回転軸６０の中心部に転がり軸受６７を介して導水管６６が設けられ、外部から回転ドラム４内に水を導入することができるように構成している。すなわち、図１に示すように、ピット１４に配置された水中ポンプ１２と導水管６６とを導水ホース１５で接続し、貯留槽１３内の水を回転ドラム４内に注水することができるように構成している。
【００８１】
被ケレン部材を鋼球Ｋによりケレンする際に、水を導水管６６から注入して、回転ドラム４内に水を溜めて、被ケレン部材への付水により付着物の除去を促進させている。また、水を回転ドラム４内に溜めることで、回転ドラム４の回転により、内部を移動する被ケレン部材の衝突音を弱めることができ、防音効果が期待できる。
【００８２】
また、防音のために、回転ドラム４の外周面又は内周面に防音用ゴムなどを取り付けてもよい。
【００８３】
次に、この発明のドラム式ケレン装置の動作につき、図１２〜図１６を参照して説明する。
【００８４】
図１２〜図１３は、被ケレン部材（長尺部材１０ａ）をケレンする場合を示している。
【００８５】
図１３に示すように、半筒状の収容部を有したパレット１０ｂに長尺部材１０ａを収容させる。そして、回転ドラム４の収容部４０ａに所定の量の鋼球Ｋが収容された状態で、扉部材５を開き、回転ドラム４の開口部を開放する。
【００８６】
フォークリフト１０ｃにより、パレット１０ｂを持ち上げ、図１３に示すように、回転ドラム４内にパレット１０ｂごと長尺部材１０ａを挿入させる。長尺部材１０ａを回転ドラム４内に挿入後、フォークリフト１０ｃをドラム式ケレン装置１から離す。この状態が図１４に示す状態である。
【００８７】
そして、回転ドラム４の扉部材５を閉じて、図１５に示すように、回転ドラム４を１８０度回転させて、回転ドラム４を停止させる。回転ドラム４を１８０度回転させることで、パレット１０ｂに収納されていた長尺部材１０ａは、回転ドラム４内に落下し、回転ドラム４内に配置される。
【００８８】
この状態で、扉部材５を開け、フォークリフト１０ｃでパレット１０ｂを保持し、回転ドラム４からパレット１０ｂを取り出す。パレット１０ｂを回転ドラム４から取り出した後、扉部材５を閉じ、ケレン動作の準備が完了し、図１２に示す状態になる。
【００８９】
その後、傾倒シリンダ２５のシリンダ部２５ｂを所定の高さ迄上げて、回転ドラム４を水平状態に維持する。そして、ドラム回転モータ６４を正転駆動し、回転ドラム４を正転方向に回転させる。そして、導水管６６から回転ドラム４内に注水する。
【００９０】
回転ドラム４が正転することで、収容部４０ａに収納されていたケレン部材としての鋼球Ｋが回転ドラム４内に排出される。
【００９１】
回転ドラム４の内周には、収容突部４４の壁面が周方向に所定の間隔で突出している。この収容突部４４が回転ドラム４のケレン方向への回転時（図１２の正転時方向）に、上向きに回動するとき、下部の位置で鋼球Ｋと長尺部材１０ａを掻き上げ、上部の位置で鋼球Ｋと長尺部材１０ａを落下させ、長尺部材１０ａに対する鋼球Ｋの衝突により、バレル方式で長尺部材１０ａにケレン処理を施すことになる。
【００９２】
上記回転ドラム４を所定時間回転させてケレン処理が完了すると、鋼球Ｋを収容部４０ａ内に収容する動作を行う。
【００９３】
回転ドラム４を逆転方向へ回転させて、鋼球Ｋを収容部４０ａ内に収容させる。回転ドラム４を逆回転させると、回転ドラム４の回転に伴って、ケレン部材出入口４１から入った鋼球Ｋは、区切り壁４３に沿って収容部４０ａの端部まで送られる。
【００９４】
その後、所定時間逆回転させて、回転ドラム４内の鋼球Ｋを収容部４０ａに収容する。この鋼球Ｋの収容動作時に、傾倒シリンダ２５のシリンダ部２５ｂを上下動させ、回転ドラム４を傾倒させて、鋼球Ｋが収容部４０ａ内に入り込みやすくするように、動作させてもよい。
【００９５】
所定時間の逆転動作を終了後、回転ドラム４から長尺部材１０ａを排出させる。長尺部材１０ａの排出時に、回転ドラム４を排出方向に傾倒させ扉部材５を閉めた状態で所定時間回転又は径方向に揺動させ、長尺部材１０ａを扉部材５の内面に押し当てて長尺部材１０ａの姿勢を整える。回転ドラム４を水平状態に保ち、扉部材５を開放する。その後、図１６に示すように、回転ドラム４の後方を上げて、回転ドラム４を傾倒させる。回転ドラム４を傾倒させることにより、長尺部材１０ａはシュート１０に案内され排出される。この時、シュート１０に近接してパレット１０ｂを配置すると、パレット１０ｂ上にケレンが終了した長尺部材１０ａが収容され、より整えられた姿勢で長尺部材１０ａを回転ドラム４の外部へ取り出すことができる。
【００９６】
図８に示すように、回転ドラム４内の水は、ケレン部材受け皿１１を介して貯留槽１３に流れる。水と一緒に流れ出た鋼球Ｋは、ケレン部材受け皿１１で回収される。回収された鋼球Ｋは、再利用される。
【００９７】
次に、被ケレン部材として、鋼管クランプ等の小さな部材をケレンする場合につき、図１７及び図１８を参照して説明する。
【００９８】
図１７に示すように、ストッパー３９とベース台２とが当接した状態では、回転ドラム４は、後側へ２度程度傾いた状態に保持する。そして、扉部材５を開放し、回転ドラム４内にベルトコンベア１０ｄの先端を導入する。そして、ベルトコンベア１０ｄを駆動させて、ベルトコンベア１０ｄ上に小さな部材１０ｅを載せる。ベルトコンベア１０ｄで小さな部材１０ｅを搬送し、回転ドラム４内に小さな部材を収容させる。ベルトコンベア１０ｄをドラム式ケレン装置１から離し、扉部材５を閉じ、ケレン動作の準備が完了する。
【００９９】
その後、傾倒シリンダ２５を所定の高さ上げて、回転ドラム４を水平状態に維持する。そして、ドラム回転モータ６４を正転駆動し、回転ドラム４を正転方向に回転させる。そして、導水管６６から回転ドラム４内に注水する。
【０１００】
回転ドラム４が正転することで、収容部４０ａに収納されていたケレン部材としての鋼球Ｋが回転ドラム４内に排出される。
【０１０１】
回転ドラム４の回転により、小さな部材１０ｅに対する鋼球Ｋの衝突により、バレル方式で小さな部材１０ｅにケレン処理を施すことになる。
【０１０２】
上記回転ドラム４を所定時間回転させてケレン処理が完了すると、鋼球Ｋを収容部４０ａ内に収容する動作を行う。
【０１０３】
回転ドラム４を逆転方向へ回転させて、鋼球Ｋを収容部４０ａ内に収容させる。回転ドラム４を逆回転させると、回転ドラム４の回転に伴って、ケレン部材出入口４１から入った鋼球Ｋは、区切り壁４３に沿って収容部４０ａの端部まで送られる。
【０１０４】
その後、所定時間逆回転させて、回転ドラム４内の鋼球Ｋを収容部４０ａに収容する。この鋼球Ｋの収容動作時に、回転ドラム４を傾倒させて、鋼球Ｋが収容部４０ａ内に入り込みやすくするように、動作させてもよい。
【０１０５】
所定時間の逆転動作を終了後、回転ドラム４から小さな部材１０ｅを排出させる。図１８に示すように、回転ドラム４の後方を上げて、回転ドラム４を傾倒させ、扉部材５を開放した状態で、シュート１０の下部にコンベア１０ｄの先端を配置する。コンベア１０ｄはドラム式ケレン装置１から離れるに従って、高さが高くなるように設置している。この状態で所定時間回転又は径方向に揺動させ、小さな部材１０ｅをシュート１０に送りコンベア１０ｄに排出する。
【０１０６】
排出された小さな部材１０ｅをコンベア１０ｄで運び、小さな部材１０ｅを収容する収容ケース１０ｆに収容する。
【０１０７】
回転ドラム４内の水は、ケレン部材受け皿１１を介して貯留槽１３に流れる。水と一緒に流れ出た鋼球Ｋは、ケレン部材受け皿１１で回収される。回収された鋼球Ｋは、再利用される。
【０１０８】
ところで、被ケレン部材が小さな部材の場合には、部材同士が絡み合い上手くケレンが行えない場合がある。特に、被ケレン部材が筋交いのような場合には、筋交い同士が絡み合いケレンが上手く行えない場合がある。
【０１０９】
このような部品同士が絡みやすい場合に用いるケレン補助装置について、図１９〜図２１を参照して説明する。
【０１１０】
図１９及び図２０に示すように、ケレン補助装置４９０は、円筒状のワイヤメッシュ本体４９１と、蓋４９２と、ワイヤメッシュ本体４９１の外周に設けられた緩衝部材４９４と、を備える。
【０１１１】
ワイヤメッシュ本体４９１の開口部４９５は、ケレン部材は通過できるが、内部に収容された部材は外部には排出されない大きさに設定されている。
【０１１２】
この実施形態では、ワイヤメッシュ本体４９１に、蓋４９２を蝶ネジ４９３により取り付けられている。
【０１１３】
緩衝部材４９４は、ゴムなどの弾性部材により形成され、その外周は、回転ドラム４の内周より僅かに小さく形成されている。
【０１１４】
蓋４９２を外し、ワイヤメッシュ本体４９１内に、筋交いのような被ケレン部材を収容させた後、蝶ネジ４９３により蓋４９２を締める。
【０１１５】
このように、ワイヤメッシュ本体４９１内に被ケレン部材を収容したケレン補助装置４９０を用意する。そして、図２１に示すように、回転ドラム４の扉部材５を開放し、回転ドラム４内にケレン補助装置４９０を収容する。
【０１１６】
その後、傾倒シリンダ２５を所定の高さ上げて、回転ドラム４を水平状態に維持する。そして、ドラム回転モータ６４を正転駆動し、回転ドラム４を正転方向に回転させる。そして、導水管６６から回転ドラム４内に注水する。
【０１１７】
回転ドラム４が正転することで、収容部４０ａに収納されていたケレン部材としての鋼球Ｋが回転ドラム４内に排出される。
【０１１８】
回転ドラム４の回転により、鋼球Ｋがワイヤメッシュ本体４９１内に入り込み、内部に収容された被ケレン部材と鋼球Ｋの衝突により、バレル方式で被ケレン部材にケレン処理を施すことになる。回転ドラム４とケレン補助装置４９０とは、緩衝部材４９４により当接することになるので、衝突音の発生が抑制でき、防音効果に優れる。
【０１１９】
上記回転ドラム４を所定時間回転させてケレン処理が完了すると、鋼球Ｋを収容部４０ａ内に収容する動作を行う。
【０１２０】
回転ドラム４を逆転方向へ回転させて、鋼球Ｋを収容部４０ａ内に収容させる。回転ドラム４を逆回転させると、回転ドラム４の回転に伴って、ケレン部材出入口４１から入った鋼球Ｋは、区切り壁４３に沿って収容部４０ａの端部まで送られる。
【０１２１】
その後、所定時間逆回転させて、回転ドラム４内の鋼球Ｋを収容部４０ａに収容する。この鋼球Ｋの収容動作時に、回転ドラム４を傾倒させて、鋼球Ｋが収容部４０ａ内に入り込みやすくするように、動作させてもよい。
【０１２２】
所定時間の逆転動作を終了後、回転ドラム４からケレン補助装置４９０を取り出し、内部に収容した被ケレン部材を取り出す。
【０１２３】
上記したケレン補助装置４９０は、ワイヤメッシュ本体４９１と蓋４９２でかごを形成しているが、蓋を設けずに、円柱かご形の本体を径方向で分割するように構成してもよい。
【０１２４】
次に、この発明の第２の実施形態のドラム式ケレン装置１につき、図２２及び図２３に従い説明する。この第２の実施形態は、ケレン部材収容室の構成が第１の実施形態と相違し、他の構成は第１の実施形態と同一であり、同一部分には同一符号を付し、説明の重複を避けるために、ここではその説明を省略する。
【０１２５】
この第２の実施形態のケレン部材収容室４０２は、回転ドラム４の外周側に回転ドラム４の外周面４ａと所定の間隔を隔てた設けられた円筒状外筒４０３が設けられている。すなわち、回転ドラム４の外周全面に沿ってはケレン部材収容室４０２が設けられている。
【０１２６】
そして、ケレン部材収容室４０２は、区切り壁４０５により、円周方向に４分割され、４つの収容部４０４を備える。
【０１２７】
各収容部４０４は、軸長方向に延びるケレン部材出入口４１０が設けられ、このケレン部材出入口４１０からケレン部材となる鋼球Ｋが回転ドラム４内に排出される。
【０１２８】
また、回転ドラム４内の鋼球Ｋは、回転ドラム４を逆転させて、ケレン部材出入口４１０から収容部４０４内に鋼球Ｋを収容する。
【０１２９】
ケレン部材収容室４０２の各収容部４０４は、回転ドラム４の外周面４ａと円筒状外筒４０３との中間部分に区切り壁４１３が設けられている。収容部４０４は、回転ドラム４の内周に突出した収容突部４１４が設けられている。
【０１３０】
ケレン部材出入口４１０から収容部４０４内に入った鋼球Ｋは、区切り壁４１３に沿って、回転ドラム４の外周面４ａから収容突部４１４に案内され、収容突部４１４内に鋼球Ｋが収容される。
【０１３１】
この第２の実施形態では、ケレン部材収容室４０２を、回転ドラム４の外周の全面に設けているので、ケレン部材収容室４０２に収容できるケレン部材の量を多くすることができる。
【０１３２】
そして、回転ドラム４内に鋼球Ｋを排出する場合には、収容部４０４内に鋼球Ｋが収容されている状態で、回転ドラム４を正転方向へ回転させる。収容部４０４内に存在する鋼球は、ケレン部材出入口４１０から回転ドラム４内に排出される。そして、回転ドラム４の回転に伴って、区切り壁４１３に沿ってケレン部材出入口４１０まで鋼球Ｋが送られ、順次ケレン部材出入口４１０から回転ドラム４内に排出される。
【０１３３】
回転ドラム４内に存在する鋼球Ｋを収容部４０４へ収容する動作は、回転ドラム４を逆転方向に回転させて行う。
【０１３４】
回転ドラム４内に鋼球Ｋが存在している状態で、回転ドラム４を逆転方向へ回転させる。回転ドラム４に存在する鋼球は、ケレン部材出入口４１０から収容部４０４内に入る。そして、回転ドラム４の回転に伴って、ケレン部材出入口４１０から入った鋼球Ｋは、区切り壁４１３に沿って収容部４０４の端部まで送られる。
【０１３５】
その後、鋼球Ｋは回転ドラム４の外周面４ａと区切り壁４１３の間に貯まり、そして、収容突部４１４内に鋼球Ｋが貯えられて行く。
【０１３６】
この一連の動作を繰り返すことにより、回転ドラム４内の鋼球Ｋが収容部４０４に収容される。
【０１３７】
また、上記した第１、第２実施形態において、ケレン部材収容室の回転ドラム４の軸方向の配置構成については特に制限はなく、実施形態の構成以外に例えば、回転ドラム４の全長に渡って断続的に設けても良く、また、回転ドラム４の前方端部に設けても良い。ケレン部材収容室を回転ドラム４の前方端部に設けた場合、回転ドラム４の前方が下がるように傾倒させながらケレン部材Ｋの収納作業を行うことで、被ケレン部材を予め蓋部材５側に寄せることができ、被ケレン部材の排出作業の時間短縮が図れ、作業の効率化が期待できる。
【０１３８】
次に、この発明の第３の実施形態につき図２４〜図２７を参照して説明する。
この第２の実施形態は、ケレン部材収容室の構成が第１の実施形態と相違し、他の構成は第１の実施形態と同様であり、同一部分には同一符号を付し、説明の重複を避けるために、ここではその説明を省略する。ここでは、回転ドラム４部分について説明する。
【０１３９】
図２４〜図２７に示すように、第３の実施形態の回転ドラム４３０は、内周側の内周ドラム４３１とこの内周ドラム４３１と同心状に設けられた外周ドラム４３２とを備える。
【０１４０】
内周ドラム４３１の内周側がケレン室となる。内周ドラム４３１と外周ドラム４３２との間に、ケレン部材収容室４４０が形成される。
【０１４１】
この第３の実施形態では、回転ドラム４３０の軸方向の後端側の略半分にケレン部材収容室４４０が設けられる。ケレン部材収容室４４０の前方側端部には仕切り壁４５２が設けられている。この仕切り壁４５２は、ケレン部材（鋼球Ｋ）は通過できないが水は通過できる空隙が設けられている。
【０１４２】
ケレン部材収容室４４０に入った水は仕切り壁４５２を通過し、前方の内周ドラム４３１と外周ドラム４３２との間に形成された水貯留室４５０にも取り込まれる。
【０１４３】
回転ドラム４３０の閉塞部材６近傍の内周ドラム４３１には、第１ケレン部材出入口４４７、第２ケレン部材出入口４４８が対向して設けられている。この実施形態では、鋼球Ｋが搬送され収容される通路として、２つのケレン部材収容通路４４５、４４６を有している。
【０１４４】
図２５及び図２６に示すように、第１ケレン部材出入口４４７は、ケレン部材収容通路４４５に対して設けられ、第２ケレン部材出入口４４８は、ケレン部材収容通路４４６に対して設けられている。ケレン部材収容通路４４５、４４６は、螺旋状に内周ドラム４３１と外周ドラム４３２の間を仕切り、前方に延びる仕切り壁４４３、４４４とにより形成される。図２５の矢印に示すように、鋼球Ｋが、第１ケレン部材出入口４４７、第２ケレン部材出入口４４８からケレン部材収容室４４０に対して収納または排出される。
【０１４５】
第１ケレン部材出入口４４７、第２ケレン部材出入口４４８は、それぞれ案内板４４９が設けられている。案内板４４９は、第１ケレン部材出入口４４７及び第２ケレン部材出入口４４８が、ケレン部材は通過できるが、被ケレン部材は通過できない開口となる間隔で配置され、ケレン部材収容通路４４５、４４６への被ケレン部材の入り込みを防止する。
【０１４６】
第１ケレン部材出入口４４７、第２ケレン部材出入口４４８は、ケレン部材収容時には、第１ケレン部材出入口４４７、第２ケレン部材出入口４４８に入り込んだ鋼球Ｋをそれぞれケレン部材収容通路４４５、４４６内に案内する。そして、ケレン部材排出時は、ケレン部材収容通路４４５、４４６から出る鋼球Ｋを第１ケレン部材出入口４４７、第２ケレン部材出入口４４８に案内する。
【０１４７】
ケレン部材収容通路４４５は、仕切り壁４４３の回転ドラム４３０の前方側に面する壁面と、仕切り壁４４４の回転ドラム４３０の後方側に面する壁面との間に形成される。
【０１４８】
ケレン部材収容通路４４６は、仕切り壁４４３の回転ドラム４３０の後方側に面する壁面と、仕切り壁４４４の回転ドラム４３０の前方側に面する壁面との間に形成される。
【０１４９】
これら２つの螺旋状の仕切り壁４４３、４４４で形成される２つの通路は、あたかも２条ネジと同様のピッチで形成されている。
【０１５０】
図２５に示すように、回転ドラム４の内周ドラム４３１の内周側には、内周側突出する円弧状の掻き揚げ部材４５２が設けられている。
【０１５１】
回転ドラム４３０の内周ドラム４３１に存在する鋼球Ｋは、回転ドラム４３０を逆転方向に回転させることにより、第１ケレン部材出入口４４７、第２ケレン部材出入口４４８からそれぞれケレン部材収容通路４４５、４４６に入り、回転ドラム４３０の回転により、ケレン部材収容通路４４５、４４６に沿って回転ドラム４３０の前方へ送られて収容される。
【０１５２】
図２７は、鋼球Ｋがケレン部材収容通路４４５、４４６内に収容される様子を示している。この図２７においては、ケレン部材収容通路４４５に収納される鋼球を白抜きで、ケレン部材収容通路４４６に収容される鋼球にハッチングを施し、鋼球がどのように収容されるかを理解が容易になるように記載している。
【０１５３】
図２６に示すように、第１ケレン部材出入口４４７からケレン部材収容通路４４５に入った鋼球Ｋは、軸方向に対して１つ置きの通路に収容される。同様に、第２ケレン部材出入口４４８からケレン部材収容通路４４６に入った鋼球Ｋは、軸方向で１つおきの通路に収容される。
【０１５４】
ケレン部材収容通路４４５、４４６に、それぞれ送られた鋼球Ｋは、回転ドラム４３０の逆回転により、回転ドラム４３０の前方に送られる。このように、螺旋状に構成したケレン部材収容通路４４５、４４６内に鋼球Ｋを収容することができるので、ケレン部材の収容量を増やすことができる。そして、ケレン部材収容通路４４５、４４６内に入った水は、回転ドラム４３０の内周ドラム４３１と外周ドラム４３２の間に充填されることになる。
【０１５５】
また、内周ドラム４３１と外周ドラム４３２との間に水を充填することにより、防音効果が上昇する。
【０１５６】
ケレン部材収容通路４４５、４４６内に収容した鋼球Ｋを回転ドラム４３０の内周ドラム４３１内に排出する場合には、回転ドラム４３０を正転方向に回転させる。回転ドラム４３０を正転方向に回転させると、回転ドラム４３０の前方から後方へとケレン部材収容通路４４５、４４６に沿って鋼球Ｋが案内されて送られ、第１ケレン部材出入口４４７、第２ケレン部材出入口４４８からそれぞれ鋼球Ｋが排出される。
【０１５７】
上記した例では、２条のケレン部材収容通路を形成しているが、ケレン部材収容通路は２条に限らない。例えば、１条のケレン部材収容通路で形成してもよい。ただし、１条のケレン部材収容通路の場合、ケレン部材出入口が１つになるので、ケレン部材の収容効率が低下する。ケレン部材を効率良く収容するには、ケレン部材収容通路は多条で構成することが好ましく、ケレン部材出入口は回転ドラムに対して等間隔に設けることが好ましい。
【０１５８】
また、上記第３実施形態によるケレン部収容室の構成では、ケレン部材出入口が回転ドラム４の後方端部に配置されているため、特にケレン部材Ｋの収納作業時には、回転ドラム４の後方が下がるように傾倒した状態で収納作業を行うことが好ましく、ケレン部材４をケレン部材出入口側に寄せながら収納作業ができることで、効率的にケレン部材Ｋを収納することができる。
【０１５９】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【０１６０】
１        ：ドラム式ケレン装置
２        ：ベース台
３        ：傾倒フレーム
４        ：回転ドラム
５        ：扉部材
６        ：閉塞部材
７        ：ドラム支持ローラ
８        ：支持部
９        ：蓋支持部材
１０      ：シュート
１１      ：ケレン部材受け皿
１２      ：水中ポンプ
１３      ：貯留槽
１４      ：ピット
１５      ：導水ホース
２１      ：足部材
２２      ：ヒンジ台
２５      ：傾倒シリンダ
２５ｂ    ：シリンダ部
２６      ：プーリー
２８      ：ワイヤ取付部
３１      ：ヒンジ部
３８      ：ワイヤ
３９      ：ストッパー
４０      ：ケレン部材収容室
４０ａ    ：収容部
４１      ：ケレン部材出入口
Ｋ        ：鋼球
【図１】
2020131400.tif 000003
【図２】
2020131400.tif 000004
【図３】
2020131400.tif 000005
【図４】
2020131400.tif 000006
【図５】
2020131400.tif 000007
【図６】
2020131400.tif 000008
【図７】
2020131400.tif 000009
【図８】
2020131400.tif 000010
【図９】
2020131400.tif 000011
【図１０】
2020131400.tif 000012
【図１１】
2020131400.tif 000013
【図１２】
2020131400.tif 000014
【図１３】
2020131400.tif 000015
【図１４】
2020131400.tif 000016
【図１５】
2020131400.tif 000017
【図１６】
2020131400.tif 000018
【図１７】
2020131400.tif 000019
【図１８】
2020131400.tif 000020
【図１９】
2020131400.tif 000021
【図２０】
2020131400.tif 000022
【図２１】
2020131400.tif 000023
【図２２】
2020131400.tif 000024
【図２３】
2020131400.tif 000025
【図２４】
2020131400.tif 000026
【図２５】
2020131400.tif 000027
【図２６】
2020131400.tif 000028
【図２７】
2020131400.tif 000029
【図２８】
2020131400.tif 000030